(57)【要約】 【課題】  ガスボンベの接続，離脱に伴う各部の損傷を防止する。【解決手段】  薬液が貯溜される薬液容器１と、薬液容器１の先端部に設けられ薬液が注入される薬液注入対象物に接続されるノズル２と、薬液容器１の後端部に設けられ薬液容器１の内部に薬液を投入する薬液投入口３と、薬液投入口３に接続されるアタッチメント４，７と、アタッチメント４，７に内蔵され薬液容器内１の圧力減衰を阻止する逆止弁５と、薬液容器１に貯溜された薬液を加圧するガスが充填されアタッチメント４，７に接続されて逆止弁５を開放するガスボンベ６とを備えている。アタッチメント４，７は、逆止弁５を内蔵して薬液投入口３への取付構造４３が設けられた薬液投入口側アタッチメント４と、ガスボンベ６への取付構造７１が設けられたガスボンベ側アタッチメント７とに分割され、薬液投入口側アタッチメント４，ガスボンベ側アタッチメント７は、着脱可能である。【選択図】        図１
2005059882.tif 000002
【特許請求の範囲】
【請求項１】
薬液が貯溜される薬液容器と、薬液容器の先端部に設けられ薬液が注入される薬液注入対象物に接続されるノズルと、薬液容器の後端部に設けられ薬液容器の内部に薬液を投入する薬液投入口と、薬液投入口に接続されるアタッチメントと、アタッチメントに内蔵され薬液容器内の圧力減衰を阻止する逆止弁と、薬液容器に貯溜された薬液を加圧するガスが充填されアタッチメントに接続されて逆止弁を開放するガスボンベとを備えた薬液注入装置において、アタッチメントは逆止弁を内蔵して薬液投入口への取付構造が設けられた薬液投入口側アタッチメントとガスボンベへの取付構造が設けられたガスボンベ側アタッチメントとに分割され、薬液投入口側アタッチメント，ガスボンベ側アタッチメントは着脱可能であることを特徴とする薬液注入装置。
【請求項２】
請求項１の薬液注入装置において、薬液投入口側アタッチメント，ガスボンベ側アタッチメントは係合片，係合溝が係合，離脱する係合構造により着脱可能であることを特徴とする薬液注入装置。
【請求項３】
請求項２の薬液注入装置において、係合構造は薬液容器，ガスボンベの軸方向への突合わせと周方向への回動とで係合，離脱されるものであることを特徴とする薬液注入装置。
【請求項４】
請求項１〜３のいずれかの薬液注入装置において、薬液投入口側アタッチメントの薬液投入口への取付構造は螺合構造からなり、ガスボンベ側アタッチメントのガスボンベへの取付構造は嵌合構造であることを特徴とする薬液注入装置。
【発明の詳細な説明】
【技術分野】
【０００１】
本発明は、樹木等からなる薬液注入対象物に薬液（防虫剤，殺虫剤，栄養剤，活性剤等）を加圧注入する薬液注入装置に係る技術分野に属する。
【背景技術】
【０００２】
薬液注入対象物に薬液を加圧注入する薬液注入装置としては、外装構造を簡素化するために薬液の加圧源を薬液を貯溜する薬液容器の内部に収容するように構成したものがある（例えば、特公平４−１１１６９号公報参照）。然しながら、薬液の薬効を充分に奏させるためには継続的な注入が必要であり、薬液容器には薬液を充分に貯溜することのできる容積が要求される。このため、薬液の加圧源を薬液容器の外部に配置することが試みられるようになってきている。
【０００３】
従来、薬液の加圧源を薬液容器の外部に配置した薬液注入装置としては、例えば、以下に記載のものが知られている。
【特許文献１】特開２０００−１２５６６４号公報  特許文献１には、薬液が貯溜される薬液容器と、薬液容器の先端部に設けられ薬液が注入される薬液注入対象物に接続されるノズルと、薬液容器の後端部に設けられ薬液容器の内部に薬液を投入する薬液投入口と、薬液投入口に接続されるアタッチメントと、アタッチメントに内蔵され薬液容器内の圧力減衰を阻止する逆止弁と、薬液容器に貯溜された薬液を加圧するガスが充填されアタッチメントに接続されて逆止弁を開放するガスボンベとを備えた薬液注入装置が記載されている。
【０００４】
特許文献１に係る薬液注入装置では、ガスボンベとしてエアゾール缶として汎用されている開閉弁を内蔵したタイプのものが使用され、カスボンベがアタッチメントに接続されることで、ガスボンベに内蔵されている開閉弁とアタッチメントに内蔵されている逆止弁とが開放され、薬液投入口から投入されて薬液容器に貯溜されている薬液がガスで加圧されノズルから薬液注入対象物に加圧注入されることになる。なお、ガスボンベがアタッチメントから離脱されると、アタッチメントに内蔵されている逆止弁が閉鎖されて、薬液容器に貯溜されている薬液を加圧しているガスの漏出が阻止される。
【発明の開示】
【発明が解決しようとする課題】
【０００５】
特許文献１に係る薬液注入装置では、アタッチメントがガスボンベの胴部に嵌合される軸長の長い筒形に形成され、ガスボンベをアタッチメントに対して長いスパンで抜差しすることでガスボンベ，アタッチメントが接続，離脱される。このため、ガスボンベの抜差し方向を少しでも誤ると、ガスボンベの吐出口（ステム）やアタッチメントに内蔵されている逆止弁を損傷してしまうという問題点がある。また、ノズルを薬液注入対象物に接続した状態でガスボンベをアタッチメントに対して抜差しすると、ガスボンベの抜差しの応力がノズルにそのまま掛かってノズルを損傷してしまうという問題点がある。
【０００６】
本発明は、このような問題点を考慮してなされたもので、ガスボンベの接続，離脱に伴う各部の損傷を防止することのできる薬液注入装置を提供することを課題とする。
【課題を解決するための手段】
【０００７】
前述の課題を解決するため、本発明に係る薬液注入装置は、特許請求の範囲の各請求項に記載の手段を採用する。
【０００８】
即ち、請求項１では、薬液が貯溜される薬液容器と、薬液容器の先端部に設けられ薬液が注入される薬液注入対象物に接続されるノズルと、薬液容器の後端部に設けられ薬液容器の内部に薬液を投入する薬液投入口と、薬液投入口に接続されるアタッチメントと、アタッチメントに内蔵され薬液容器内の圧力減衰を阻止する逆止弁と、薬液容器に貯溜された薬液を加圧するガスが充填されアタッチメントに接続されて逆止弁を開放するガスボンベとを備えた薬液注入装置において、アタッチメントは逆止弁を内蔵して薬液投入口への取付構造が設けられた薬液投入口側アタッチメントとガスボンベへの取付構造が設けられたガスボンベ側アタッチメントとに分割され、薬液投入口側アタッチメント，ガスボンベ側アタッチメントは着脱可能であることを特徴とする。
【０００９】
この手段では、ガスボンベの接続，離脱が薬液投入口に取付けられた薬液投入口側アタッチメントとガスボンベに取付けられたガスボンベ側アタッチメントとの着脱としてなされる。
【００１０】
また、請求項２では、請求項１の薬液注入装置において、薬液投入口側アタッチメント，ガスボンベ側アタッチメントは係合片，係合溝が係合，離脱する係合構造により着脱可能であることを特徴とする。
【００１１】
この手段では、薬液投入口側アタッチメント，ガスボンベ側アタッチメントが係合，離脱で着脱される。
【００１２】
また、請求項３では、請求項２の薬液注入装置において、係合構造は薬液容器，ガスボンベの軸方向への突合わせと周方向への回動とで係合，離脱されるものであることを特徴とする。
【００１３】
この手段では、薬液投入口側アタッチメント，ガスボンベ側アタッチメントの係合，離脱が突合わせ，回動でなされる。
【００１４】
また、請求項４では、請求項１〜３のいずれかの薬液注入装置において、薬液投入口側アタッチメントの薬液投入口への取付構造は螺合構造からなり、ガスボンベ側アタッチメントのガスボンベへの取付構造は嵌合構造であることを特徴とする。
【００１５】
この手段では、薬液投入口側アタッチメントが薬液投入口に螺合取付けされ、ガスボンベ側アタッチメントがガスボンベに嵌合取付けされる。
【発明の効果】
【００１６】
本発明に係る薬液注入装置は、ガスボンベの接続，離脱が薬液投入口に取付けられた薬液投入口側アタッチメントとガスボンベに取付けられたガスボンベ側アタッチメントとの着脱としてなされ、ガスボンベのアタッチメントに対する抜差しとなるのを避けているため、ガスボンベの接続，離脱に伴う各部の損傷を防止することができる効果がある。
【００１７】
また、請求項２として、薬液投入口側アタッチメント，ガスボンベ側アタッチメントが係合，離脱で着脱されるため、薬液投入口側アタッチメント，ガスボンベ側アタッチメントが簡素な機械的構成で着脱可能になる効果がある。
【００１８】
また、請求項３として、薬液投入口側アタッチメント，ガスボンベ側アタッチメントの係合，離脱が突合わせ，回動でなされるため、突合わせで接続，離脱を行い、回動で接続の保持，解除を行うように設定することができる効果がある。
【００１９】
また、請求項４として、薬液投入口側アタッチメントが薬液投入口に螺合取付けされ、ガスボンベ側アタッチメントがガスボンベに嵌合取付けされるため、薬液投入口側アタッチメントで気密性，水密性の高い取付けがなされ、ガスボンベ側アタッチメントでワンタッチの簡単な取付けがなされる。
【発明を実施するための最良の形態】
【００２０】
以下、本発明に係る薬液注入装置を実施するための最良の形態を図面に基づいて説明する。
【００２１】
この形態では、樹木からなる薬液注入対象物Ｔに防虫剤，殺虫剤からなる薬液Ｗを注入するものを示してある。
【００２２】
この形態は、図１に示すように、薬液容器１，ノズル２，薬液投入口３，薬液投入口側アタッチメント４，逆止弁５，ガスボンベ６，ガスボンベ側アタッチメント７の各部で構成されている。
【００２３】
薬液容器１は、薬液Ｗが貯溜されるもので、下半部に球形に膨出した張出部１１が設けられた変形の容器体の下端部にノズル２を水密に締付け取付けするノズル取付部１２が設けられている。張出部１１は、薬液Ｗの貯溜量を拡大して薬液Ｗの長期の注入を可能にするとともに、薬液Ｗの貯溜重心を下げて安定した姿勢での薬液Ｗの注入を可能にする。なお、張出部１１は、薬液Ｗの下端部付近の減圧にも寄与する。ノズル取付部１２は、ノズル２の交換を可能にしている。
【００２４】
ノズル２は、薬液Ｗが注入される薬液注入対象物Ｔに接続されるもので、テーパチューブからなる。このノズル２は、例えば  薬液注入対象物Ｔに穿設された接続用穴に挿入されることで薬液注入対象物Ｔに接続されるもので、長さ，径等を異ならせたものが複数本用意されて適宜選択使用される。
【００２５】
薬液投入口３は、薬液容器１の内部に薬液Ｗを投入するもので、薬液容器１の後端部に一体成形されまたは固着され広径の筒部３１の外周面に雄ネジのネジ部３２が刻設されている。
【００２６】
薬液投入口側アタッチメント４は、薬液投入口３に接続されるもので、相対的に大径のキャップ形の接続部４１に相対的に小径の本体部４２が同軸に一体化されている。接続部４１には、内周面に、薬液投入口３のネジ部３２への螺合構造での取付構造となる雌ネジのネジ部４３が刻設され、端面に薬液投入口３の筒部３１との間で気密性，水密性を確保するためのパッキング４４が設けられている。本体部４２には、軸中心にガスボンベ６の後述する吐出管（ステム）６３を受けてスライドするステム受４５が設けられ、外周面に１８０度の角度を介した２個の台形の係合片４６が突出し相対して設けられている。
【００２７】
逆止弁５は、薬液容器１内の圧力減衰を阻止するもので、薬液投入口側アタッチメント４の本体部４２に内蔵されてステム受４５に連結され接続部４１の内部に突出している。この逆止弁５は、例えば、コイルスプリングで閉鎖方向（薬液投入口側アタッチメント４のステム受４５方向）へ弾圧付勢されたスライド弁からなるもので、ガスボンベ６の吐出管（ステム）６３による薬液投入口側アタッチメント４のステム受４５の押圧に応動して開放される。
【００２８】
ガスボンベ６は、薬液容器１に貯溜された薬液Ｗを加圧するガスが充填されたもので、カスの充填区画を形成する胴部６１の一端部側に耐圧マウントに開閉弁（図示せず）が内蔵され、耐圧マウントを閉鎖するカバーフランジ６２の中心に吐出管（ステム）６３が突出されている。ガスボンベ６に充填されるガスとしては、空気や薬液Ｗと反応しない不活性な性質のものが選択される。
【００２９】
ガスボンベ側アタッチメント７は、ガスボンベ６が接続されて薬液投入口側アタッチメント４に着脱されるもので、筒形の一端部の内周面にガスボンベ６のへの嵌合構造での取付構造となるリング状突起７１が設けられ、筒形の他端部に薬液投入口側アタッチメント４の係合片４６の突合わせ通過を許容する２個のコ字形の第１係合溝７２が設けられている。第１係合溝７２には、図３，図４に詳細に示されるように、通過した薬液投入口側アタッチメント４の係合片４６をそのまま筒形の軸方向へ案内する第２係合溝７３と続いて筒形の周方向へ案内する第３係合溝７４とが連続して設けられている。第２係合溝７３は、薬液投入口側アタッチメント４の係合片４６の筒形の周方向へ案内の終端をも構成して、薬液投入口側アタッチメント４の係合片４６の反対側の第１係合溝７２からの抜出しを防止する。また、第２係合溝７３は、接続されるガスボンベ６のカバーフランジ６２に当接してガスボンベ６の無用の侵入を阻止する。第３係合溝７４は、僅かに傾斜して薬液投入口側アタッチメント４，ガスボンベ側アタッチメント７の締付けを可能にしている。なお、前述の薬液投入口側アタッチメント４の係合片４６とともに構成される係合構造については、合成樹脂材等による一体成形等で形成した簡素な機械的構成で実現することができる。
【００３０】
この形態によると、薬液容器１に薬液Ｗを投入した後、薬液投入口側アタッチメント４が螺合によって薬液投入口３に接続され、ガスボンベ側アタッチメント７が嵌合によってガスボンベ６に接続される。従って、薬液容器１側では高度の気密性，水密性が確保されるとともに、ガスボンベ６側ではガスボンベ側アタッチメント７の接続がワンタッチで容易に行われる。
【００３１】
そして、図２に示すように、薬液注入対象物Ｔにノズル２を接続した状態で、薬液投入口側アタッチメント４，ガスボンベ側アタッチメント７を突合わせて回動させることによって全体の接続が完了する。また、逆の薬液投入口側アタッチメント４，ガスボンベ側アタッチメント７の回動，引離しで分離することができる。従って、係合構造を構成している薬液投入口側アタッチメント４の係合片４６とガスボンベ側アタッチメント７の第１係合溝７２，第２係合溝７３，第３係合溝７４によって精密な位置合わせがなされ、ガスボンベ６の吐出口（ステム）６３や薬液投入口側アタッチメント４に内蔵されている逆止弁５を損傷することがない。また、長いスパンでガスボンベ側アタッチメント７を突合わせたり引離したりすることがないため、ガスボンベ６の抜差しの応力をノズル２にそのまま掛けてノズル２を損傷してしまうというようなこともない。
【００３２】
以上、図示した形態の外に、ガスボンベ６として開閉弁を内蔵していないタイプを使用して、ガスボンベ側アタッチメント７に開閉弁を内蔵することも可能である。この構成については、逆止弁を内蔵した薬液投入口側アタッチメント４とガスボンベ側アタッチメント７とが分離されているため、容易に実現することができる。
【産業上の利用可能性】
【００３３】
本発明に係る薬液注入装置は、生木である樹木の外に建築物の木材料等に防虫剤，殺虫剤，保存材等を加圧注入する場合にも適用することができる。
【図面の簡単な説明】
【００３４】
【図１】本発明に係る薬液注入装置を実施するための最良の形態の示す分解状態の正面図である。
【図２】図１の使用状態を示すものであり、（Ａ）にガスボンベの接続前状態が示され、（Ｂ）にガスボンベの接続完了状態が示されている。
【図３】図１の要部の拡大斜視図である。
【図４】図２要部の拡大断面図である。
【符号の説明】
【００３５】
１            薬液容器
２            ノズル
３            薬液投入口
４            薬液投入口側アタッチメント
４３          ネジ部（取付構造）
４６          係合突起
５            逆止弁
６            ガスボンベ
７            ガスボンベ側アタッチメント
７１          リング状突起（取付構造）
７２          係合溝（第１）
７３          係合溝（第２）
７４          係合溝（第３）
Ｔ            樹木（薬液注入対象物）
Ｗ            薬液
【図１】
2005059882.tif 000003
【図２】
2005059882.tif 000004
【図３】
2005059882.tif 000005
【図４】
2005059882.tif 000006